(57)【特許請求の範囲】
【請求項１】
グリル部（２０）の内壁（２１）両側の案内レール（２３）にグリルパン（２４）が掛け渡され、前記グリルパン（２４）の上方および下方に所定の形状に炎孔（５）が穿設された上部バーナー（５０）および下部バーナー（４０）が設けられ、調節ノブ（１１）の後方に位置する供給弁（１２）を介してそれぞれのバーナーにガスを供給するガスコンロ（１０）において、
上部ベンチュリ管が形成された前記上部バーナー（５０）と下部ベンチュリ管が形成された前記下部バーナー（４０）をそれぞれ別々に燃焼させ、
前記案内レール（２３）に焼きカバー（２５）を位置固定手段により選択的に着脱自在に位置固定させ、
前記上部バーナー（５０）は、前記グリル部（２０）の前後方向の中央位置と前端位置との間に前端縁部が位置するように配置されている中央燃焼部（５２）と、前記グリル部（２０）の前後方向において前記中央燃焼部（５２）より前側に配置されている部分を有する周辺燃焼部（５３）とが画設された平板状部材として形成され、
前記上部ベンチュリ管は、前記中央燃焼部（５２）に形成された中央燃焼部用ベンチュリ管と前記周辺燃焼部（５３）に形成された周辺燃焼部用ベンチュリ管とから構成され、
前記下部バーナー（４０）と一緒に、前記調節ノブ（１１）により、前記中央燃焼部（５２）と前記周辺燃焼部（５３）がそれぞれ別々に燃焼されるように制御されることを特徴とするガスコンロ用グリル装置。
【請求項２】
前記周辺燃焼部（５３）は、前記グリル部（２０）の左右方向において、前記中央燃焼部（５２）より前側に配置されている部分に連続し、前記中央燃焼部（２０）の左右両側から前記中央燃焼部（５２）を挟む部分を有することを特徴とする請求項１記載のガスコンロ用グリル装置。
【請求項３】
前記上部バーナー（５０）の中央燃焼部（５２）には前記供給弁（１２）と上供給管（５１）が連結され、前記上部バーナー（５０）の周辺燃焼部（５３）には前記下部バーナー（４０）と連結された下供給管（４１）に設けられる両面弁（５４）から分岐された分配供給管（５５）が連結されることを特徴とする請求項１に記載のガスコンロ用グリル装置。
【請求項４】
前記上部バーナー（５０）および前記下部バーナー（４０）は、前記グリル部（２０）の前面部に位置する炎孔（５）が、前記グリル部（２０）の背面部に位置する炎孔（５）よりも密設されることを特徴とする請求項１に記載のガスコンロ用グリル装置。
【請求項５】
前記上部バーナー（５０）および前記下部バーナー（４０）は、前記グリル部（２０）の上下内壁に沿って前面部から背面部に向けて拡開する勾配を有するように設けられることを特徴とする請求項１に記載のガスコンロ用グリル装置。
【請求項６】
前記グリル部（２０）の案内レール（２３）には、前記グリルパン（２４）が載置される載置台（２３ａ）を多段に形成して、該グリルパン（２４）が掛け渡される高さが調節されることを特徴とする請求項１に記載のガスコンロ用グリル装置。
【請求項７】
前記案内レール（２３）に前記焼きカバー（２５）を着脱自在に固定する位置固定手段は、該案内レール（２３）に上方に向けて嵌合突起（２３ｂ）を突出させ、これに対応する個所の該焼きカバー（２５）に嵌合溝（２５ａ）が凹設されてなることを特徴とする請求項１に記載のガスコンロ用グリル装置。
【請求項８】
前記上部バーナー（５０）の周辺燃焼部（５３）にガスを供給するベンチュリ管（４）は、コーナー部を向けて傾斜するように形成されることを特徴とする請求項１から請求項７のいずれかに記載のガスコンロ用グリル装置。
【発明の詳細な説明】
【技術分野】
【０００１】
本発明はガスコンロ用グリル装置に関し、さらに詳しくは、ガスコンロのグリル部に中央燃焼部と周辺燃焼部とに画設された上部バーナーと下部バーナーを設け、グリルパンの上部に着脱可能な焼きカバーを設けて、ユーザーが任意にバーナー部をそれぞれ別々にまたは同時に燃焼させ、焼きカバーを用いて直火または間接熱により調理を行うことにより、グリル料理及びオーブン料理をはじめとする様々な温度条件下で調理が行えるようにしたガスコンロ用グリル装置に関する。
【背景技術】
【０００２】
一般に、ガスコンロには、コンロ本体の内側に魚類または肉類などの様々な食材を収納し、ガスを用いた火気に露出させて調理を行うグリル部が形成されている。
【０００３】
グリル部は、ガスコンロの本体の前面に扉が設けられ、内側における両側及び上部または下部にバーナー部が設けられ、底面には食材が載せられるグリルパンが形成されている。
【０００４】
バーナーは、グリル部の中央に向けて炎孔が穿設されるため、内部のグリルパンに載せられた食材に直接熱を伝えて調理をするように構成される。
【０００５】
しかしながら、上記のように構成された従来のグリル部は、食物の調理に際して、バーナー部の火力を調節するための方法として、グリルパンに覆体を覆い被せて直火を防止したり、ガス供給量を減らして熱量を低減させるなどの制限的な方法しか採用することができず、麦粉を用いた様々な調理には使用することができないという難点があった。
【０００６】
すなわち、麦粉などの食物は焦げやすいため間接熱により食物を調理しなければならない。このため、通常の直火グリル部付きガスコンロを用いては、パン、ピザなどのオーブン方式の料理を作ることができないという不都合があった。
【０００７】
このため、せっかく大容量のガスオーブンレンジを購買したものの、狭い台所に保管することが困難であり、しかも、それが頻繁に使用できないものであれば、余計な空間を占めてしまう結果、台所の使用に不便さを与えているのが現状である。
【０００８】
また、ガスコンロのグリル部は、熱量を制御し難く、バーナー部全体に亘って燃焼炎孔が一様に穿設されているため、排気部が位置する背面よりも覆体が設けられた前方の熱分布性が悪く、食物の焼き時間に差が生じ、これにより、食物の風味が一様にならないという不都合があった。
【０００９】
また、ガスを供給するためのベンチュリ管が上下部のバーナーにそれぞれ別々に形成されて供給されたガスを同時に点火させて使用しているが、下部バーナーよりも広い面積を有する上部バーナーは、バーナー部全体に亘って穿設された炎孔に炎が一斉に火移りして燃焼する必要があるため、点火初期の炎の安定化時間が長引いてしまうという不都合があった。
【発明の概要】
【発明が解決しようとする課題】
【００１０】
本発明はこのような従来のガスコンロ用グリル部における不都合を解消するためになされたものであり、第１の目的は、グリル部の上部バーナーが２つのガス供給ベンチュリ構造を有し、これらの上部バーナーと下部バーナーをそれぞれ別々にまたは同時に燃焼させることにより、食物の種類によってユーザーがグリル部の熱量を制御できるようにしたガスコンロ用グリル装置を提供することにある。
【００１１】
本発明の第２の目的は、グリル部の上部バーナーが中央と周辺のそれぞれ別々の燃焼部を有するように形成し、これらの上下部のバーナーを同時に点火させるときに離れている上部バーナーに炎が速やかに火移りして燃焼するようにし、且つ、点火初期の炎が早期に安定化されるようにしたガスコンロ用グリル装置を提供することにある。
【００１２】
本発明の第３の目的は、グリル部の前面から背面までの熱分布を一様にするために、前面部から背面部に向けて拡開する勾配を有し、前方の炎孔を密設して供給されるガス及び熱気を前面部から背面部に向けて一様に流通させて食物が満遍なく調理されるようにしたガスコンロ用グリル装置を提供することにある。
【００１３】
本発明の第４の目的は、中央燃焼部と周辺燃焼部とに画設された上部バーナーと下部バーナーを調理用途に合わせてそれぞれ別々にまたは同時に燃焼させ、グリルパンの上に焼きカバーを配設して、間接熱を用いたグリル調理、オーブン調理や食物を暖める調理などを行うことができるガスコンロ用グリル装置を提供することにある。
【００１４】
本発明の第５の目的は、焼きカバーを使用することから、グリルのバーナーに調理物が飛散したり油が気化したりして火災につながることを防止して、火災による安全事故を未然に防止することができるガスコンロ用グリル装置を提供することにある。
【課題を解決するための手段】
【００１５】
本発明は、上記の目的を達成するために、グリル部２０の内壁２１両側の案内レール２３にグリルパン２４が掛け渡され、前記グリルパン２４の上方および下方に所定の形状に炎孔５が穿設された上部バーナー５０および下部バーナー４０が設けられ、調節ノブ１１の後方に位置する供給弁１２を介してそれぞれのバーナーにガスを供給するガスコンロ１０において、上部ベンチュリ管が形成された前記上部バーナー５０と下部ベンチュリ管が形成された下部バーナー４０をそれぞれ別々に燃焼させ、案内レール２３に焼きカバー２５を位置固定手段により選択的に着脱自在に位置固定させ、上部バーナー５０は、グリル部２０の前後方向の中央位置と前端位置との間に前端縁部が位置するように配置されている中央燃焼部５２と、グリル部２０の前後方向において中央燃焼部５２より前側に配置されている部分を有する周辺燃焼部５３とが画設された板状部材として形成され、上部ベンチュリ管は、中央燃焼部５２に形成された中央燃焼部用ベンチュリ管と周辺燃焼部５３に形成された周辺燃焼部用ベンチュリ管とから構成され、下部バーナー４０と一緒に、調節ノブ１１により、中央燃焼部５２と周辺燃焼部５３がそれぞれ別々に燃焼されるように制御されることを特徴とするガスコンロ用グリル装置を提供する。
【００１６】
ここで、上部バーナー５０は、中央燃焼部５２と周辺燃焼部５３とに画設されて、下部バーナー４０と一緒に、調節ノブ１１により中央燃焼部５２と周辺燃焼部５３がそれぞれ別々に燃焼されるように制御される。
【００１７】
このとき、上部バーナー５０の中央燃焼部５２には供給弁１２と上供給管５１が連結され、周辺燃焼部５３には下部バーナー４０と連結された下供給管４１に設けられる両面弁５４から分岐された分配供給管５５が連結されて、ガスの供給がなされる。
【００１８】
また、上部バーナー５０の中央燃焼部５２と周辺燃焼部５３及び下部バーナー４０は、パイロットバーナー３０を用いて同時に初期点火されて火移りして燃焼し、上部バーナー５０と下部バーナー４０はグリル部２０の前面部に位置する炎孔５が、グリル部２０の背面部に位置する炎孔５よりも密設されて、上部バーナー５０と下部バーナー４０を、グリル部２０の上下内壁に沿って前面部から背面部に向けて拡開する勾配を有するように設けて、グリル部の空間全体に亘って一様な加熱温度分布を有するように構成する。
【００１９】
さらに、グリル部２０の案内レール２３には、グリルパン２４が載置される載置台２３ａを多段に形成して、グリルパン２４が掛け渡される高さが調節され、且つ、案内レール２３と焼きカバー２５には嵌合突起２３ｂと嵌合溝２５ａを設ける。
【００２０】
加えて、上部バーナー５０の周辺燃焼部５３にガスを供給するベンチュリ管４は、燃焼部の流路に流れ込んだガスの抵抗を減少させるために一側に傾斜するように形成される。
【発明の効果】
【００２１】
このような構造を有する本発明に係るガスコンロは、上部バーナー５０の中央燃焼部５２と周辺燃焼部５３及び下部バーナー４０を同時に燃焼させてグリル調理を行うことができ、中央燃焼部５２へのガス供給が遮断され、周辺燃焼部５３および下部バーナー４０を燃焼させてオーブン調理を行うことができ、しかも、上部バーナー５０の周辺燃焼部５３および下部バーナー４０へのガス供給が遮断され、上部バーナー５０の中央燃焼部５２のみを燃焼させて食物を温める調理を行うことができ、食物の種類によって使い分けることができる。
【００２２】
このため、通常のグリル付きガスコンロに採用することができ、グリル部２０の下部バーナー４０と中央燃焼部５２と周辺燃焼部５３とが画設された上部バーナー５０とがそれぞれ別々に使用可能であるので内部温度が制御し易く、様々な食物を調理することができる。
【００２３】
また、グリル部２０に内設される焼きカバー２５を用いて食物が熱に直接露出されることを妨げることにより、焦げやすい食物の調理が可能となり、グリル機能、オーブン機能、食物を温める機能を使い分けることができ、調理領域が拡大される。
【００２４】
さらに、広い面積の上部バーナー５０に中央燃焼部５２と周辺燃焼部５３とを画設して下部バーナー４０と同時に点火させることにより、炎が速やか火移りして燃焼すると共に、点火初期の炎が早期に安定化されて使い勝手がよくなる。
【００２５】
加えて、グリル部２０の前面から背面までの温度分布を一様にすることにより、食物の調理時間の短縮及び風味の向上を両立させることができる。
【００２６】
一方、焼きカバー２５が調理物を覆っているので熱分布性が良好であり、水分が急激に蒸発することが防止され、グリル部２０内の汚染が防止されて、グリル部２０の内部を常にきれいに維持することができる。
【図面の簡単な説明】
【００２７】
【図１】本発明に係るガスコンロ用グリル装置の分解斜視図。
【図２】本発明に係るガスコンロ用グリル装置の側断面図。
【図３】本発明に係るガスコンロ用グリル装置の上部バーナーの斜視図。
【図４ａ】本発明に係るガスコンロ用グリル装置の第１作動状態図。
【図４ｂ】本発明に係るガスコンロ用グリル装置の第２作動状態図。
【図４ｃ】本発明に係るガスコンロ用グリル装置の第３作動状態図。
【発明を実施するための形態】
【００２８】
以下、添付図面に基づき、前記目的を達成するための本発明の構成と作動例を説明する。
【００２９】
本発明に係るガスコンロ用グリル装置は、ガスコンロのグリル部に中央燃焼部と周辺燃焼部とが画設された上部バーナーと下部バーナーを設け、グリルパンの上部に着脱可能な焼きカバーが設けられ、ユーザーが任意にバーナー部をそれぞれ別々にまたは同時に燃焼させ、焼きカバーを用いて直火または間接熱により調理を行うことにより、グリル料理及びオーブン料理が両方とも行えるようにしたものである。
【００３０】
すなわち、図１に示すように、ガスコンロ１０は、食物が収納されて高温の熱量により調理するグリル部２０がコンロ本体に設けられ、前記グリル部２０の内壁２１両側には案内レール２３が設けられ、食物が載せられるグリルパン２４が案内レール２３の上を滑動して出し入れすることができる。
【００３１】
また、グリル部２０の上部および下部には、多数の炎孔５が列設される上部バーナー５０および下部バーナー４０が取り付けられる。
【００３２】
上部バーナー５０および下部バーナー４０に供給されるガスの制御は、フロントパネルの前面に露出されている調節ノブ１１をユーザーが自ら操作することにより行われる。
【００３３】
ユーザーが調節ノブ１１を操作すれば、供給弁１２においてガス供給量が制御され、上部バーナー５０と下部バーナー４０に連結される上下の供給管５１、４１を介してガスが供給される。
【００３４】
さらに、上部バーナー５０および下部バーナー４０を有するバーナー部に供給されたガスを着火するための手段として、コンロ本体の後方に位置するパイロットバーナー３０に少量のガスを供給するための点火供給管３１もコンロ本体の一方の端に連結されている。
【００３５】
このため、グリル部２０のバーナーを点火するために調節ノブ１１を回してガスが上下の供給管５１、４１に供給されるようにし、点火プラグ３２のスパーク（火花）によりパイロットバーナー３０が先に着火されれば、この着火炎を用いて上部バーナー５０および下部バーナー４０の炎孔５を介して噴射されるガスを同時に点火させて燃焼させることができる。
【００３６】
本発明における上部バーナー５０は、中央燃焼部５２と周辺燃焼部５３とが画設され、それぞれの燃焼部を別々に燃焼させ、それぞれの燃焼部の一方の端にベンチュリ管４を配設し、これらのそれぞれのベンチュリ管４に上供給管５１と分配供給管５５が連結される。
【００３７】
このとき、中央燃焼部５２には供給弁１２からの上供給管５１が直結され、周辺燃焼部５３には下部バーナー４０と連結された下供給管４１に設けられる両面弁５４から分岐された分配供給管５５が連結される。
【００３８】
また、上部バーナー５０の周辺燃焼部５３に配設されるベンチュリ管４は、分配供給管５５を介して流れ込んだガスがコーナー部まで速やかに達するように、コーナー部に向けて傾斜するように形成されることが好ましい。
【００３９】
このため、上部バーナー５０のガス流入口からコーナー部に至るまでの着火が速やかに行われ、比較的に一様に且つ安定的に炎が形成される。
【００４０】
また、ガスコンロ１０の本体に内設される上部バーナー５０は、一方側にベンチュリ管４を形成して本体の小型化を図ることができ、中央燃焼部５２及び周辺燃焼部５３に流れ込んだガスが内壁とぶつかって抵抗が発生することを極力抑えることができる。
【００４１】
さらに、案内レール２３の上部にユーザーの選択により着脱可能な焼きカバー２５が設けられる。
【００４２】
このため、焼きカバー２５の存否によって、ユーザーは、熱が食物に直接伝わって比較的高温の調理温度を必要とするグリル料理と、間接熱を利用するグリル料理及び調理温度が低くてもよいオーブン料理を選択的に行うことができる。
【００４３】
すなわち、焼きカバー２５を案内レール２３から取り外すと、グリルパン２４に載せられている食物の種類によって、上部バーナー５０の中央燃焼部５２と周辺燃焼部５３及び下部バーナー４０が同時にまたはいずれか１以上のバーナーが燃焼されて熱が食物に直接伝わって比較的高温の調理温度を必要とするグリル料理が行われる。
【００４４】
ここで、焼きカバー２５の位置固定手段としては、図示のごとく、案内レール２３の前方の両側に上方に折れ曲がる嵌合突起２３ｂを形成し、焼きカバー２５には、前記嵌合突起２３ｂと嵌合される嵌合溝２５ａを前方の両側に嵌合突起２３ｂと対応するように凹設して、焼きカバー２５を設けたときに位置がずれたり遊動したりすることを防止する。
【００４５】
このとき、調理しようとする食物の種類によって、中央燃焼部５２へのガス供給を遮断し、周辺燃焼部５３および下部バーナー４０は燃焼させてオーブン料理を行ってもよく、上部バーナー５０の中央燃焼部５２のみ燃焼させ、周辺燃焼部５３及び下部バーナー４０へのガスの供給を遮断して食物を温める調理を行ってもよい。
【００４６】
一方、焼きカバー２５を案内レール２３の上部に位置固定手段により遊動しないように設けると、グリルパン２４に載せられている食物の種類によって、上部バーナー５０の中央燃焼部５２および周辺燃焼部５３の熱がグリルパン２４に直接伝わることが遮断され、グリルの内温が熱気により加熱される間接熱の伝達状態となる。
【００４７】
このような焼きカバー２５の設置により、温度分布が一様な間接熱を用いて、低温のオーブン料理の条件下で食物を調理することができる。
【００４８】
前記上部バーナー５０の中央燃焼部５２と周辺燃焼部５３及び下部バーナー４０は、パイロットバーナー３０により同時に初期点火されて燃焼し、上部バーナー５０および下部バーナー４０は、グリル部２０の前面部に位置する炎孔５がグリル部２０の背面部に位置する炎孔５よりも密設される。
【００４９】
また、上部バーナー５０および下部バーナー４０を、グリル部２０の上下内壁２１に沿って前面部から背面部に向けて拡開する勾配を有するように設けて、排気の流れに従って低下する前面部の温度を昇温させて、グリル部の前面から背面までの空間が一様な加熱温度分布を有するように構成する。
【００５０】
さらに、グリル部２０の案内レール２３には、グリルパン２４が載置される載置台２３ａを多段に形成して、食物の種類によってグリルパン２４が掛け渡される高さを調節する。
【００５１】
以上述べたように、焼きカバー２５がグリルパン２４の上部から案内レール２３に容易に脱着されることにより、その内部空間の温度分布が一様に維持され、油などの調理物のグリル部２０への飛散による汚染を防止することができてグリルの内部がきれいに維持される。
【００５２】
加えて、前記焼きカバー２５には熱変形を防止するための補強ビード２５ｂと、前面部に熱気が伝わる吸入長孔を形成して、内部空間の熱分布が一様になされて料理の風味を向上させることができる。
【００５３】
このように構成されたガスコンロ用グリル装置を用いて食物を調理する方法は、下記の通りである。
【００５４】
前記ガスコンロのグリル部２０における案内レール２３に食物が載せられたグリルパン２４を掛け渡した後、調節ノブ１１を回して上部バーナー５０の中央燃焼部５２と周辺燃焼部５３及び下部バーナー４０とパイロットバーナー３０にガスを供給する。
【００５５】
また、バーナー部に供給されたガスを点火するために調節ノブ１１をさらに回すと、点火プラグ３２のスパークによりパイロットバーナー３０の上部と下部に炎が形成される。下部と上部の炎はそれぞれ、下部バーナー４０に、そして上部バーナー５０の中央燃焼部５２と周辺燃焼部５３の中央に位置して、バーナー全体に一斉に着火され、炎が安定的に且つ速やかに燃焼する。
【００５６】
このとき、図４ａに示すように、高温を必要とする食物を調理するためには、焼きカバー２５を案内レール２３から脱抜した後、上部バーナー５０と下部バーナー４０を同時に燃焼させて熱量を上げる。
【００５７】
また、図４ｂに示すように、食物を間接熱により調理するためには、調節ノブ１１を操作して中央燃焼部５２及び周辺燃焼部５３のうちどちらか一方の燃焼部に供給されるガスを遮断してグリル部２０の熱量を下げる。
【００５８】
さらに、図４ｃにおいては、食物に伝わる熱量が最小となるように、調節ノブ１１をさらに操作して、下部バーナー４０及び周辺燃焼部５３への供給ガスをいずれも遮断し、中央燃焼部５２のみを燃焼させて、食物を温める用途に使用している。
【００５９】
加えて、前記食物が調理される最中にも、材料及び料理方法などによって、グリルパン２４の上部から焼きカバー２５を案内レール２３に嵌め込んで使用することができる。
【００６０】
また、案内レール２３には、載置台２３ａが、焼きカバー２５が入る程度に互いに離間して上下に複数形成されて、食材及び料理方法によってグリルパン２４の高さを調節しながら調理を行うことができるので、使い勝手がよくなる。
【００６１】
以上述べたように、本発明は上述した実施の形態及び図面により限定されるものではなく、本発明の技術的思想を逸脱しない範囲内において様々な置換、変形及び変更が可能であるということは本発明が属する技術分野において通常の知識を持った者にとって自明であるといえる。
【符号の説明】
【００６２】
１０…ガスコンロ、１１…調節ノブ、１２…供給弁、２０…グリル部、２１…内壁、
２３…案内レール、２３ａ…載置台、２３ｂ…嵌合突起、２４…グリルパン、
２５…焼きカバー、２５ａ…嵌合溝、２５ｂ…補強ビード、３０…点火バーナー、
３１…点火供給管、３２…点火プラグ、４０…下部バーナー、４１…下供給管、
５０…上部バーナー、５１…上供給管、５２…中央燃焼部、５３…周辺燃焼部、
５４…両面弁、５５…分配供給管。
【図１】
0005313306.tif 000002
【図２】
0005313306.tif 000003
【図３】
0005313306.tif 000004
【図４ａ】
0005313306.tif 000005
【図４ｂ】
0005313306.tif 000006
【図４ｃ】
0005313306.tif 000007